【事件の表示】
　特願２０００−２０１１１１「スロットマシン」拒絶査定不服審判事件〔平成１４年　１月２２日出願公開、特開２００２−　１７９４４〕について、次のとおり審決する。
【結　論】
　本件審判の請求は、成り立たない。
【理　由】
第１　手続の経緯等
　本願は、平成１２年７月３日の出願であって、平成１５年１２月２５日付けで拒絶理由が通知され、これに対し平成１６年４月１５日付けで手続補正がされ、平成１６年６月２２日付けで拒絶査定がされ、これに対し平成１６年７月２９日付けで拒絶査定不服審判が請求されるとともに、平成１６年８月２７日付けで手続補正がされたものである。
　　
第２　平成１６年８月２７日付けの手続補正についての補正却下の決定
［補正却下の決定の結論］
　平成１６年８月２７日付けの手続補正（以下、「本件補正」という。）を却下する。
［理由］
１．補正後の本願発明
　本件補正により、特許請求の範囲の請求項１は、
　「複数種類の絵柄が描かれた複数の回転リールと、
　前記回転リールの内側であって停止ラインに対応する位置に設けられ、前記回転リールと異なる表示器とを備え、
　遊戯者の開始操作に応答して前記各回転リールのみを回転
させ
　前記回転リールの一部
の特定の回転リール
周方向の４〜５箇所に前記
適切に
すると共に
　
前記特定の回転リールでは、内部抽選によって当選状態であった場合であって、該当する当選絵柄を停止させることが可能なタイミングで停止操作がされると、前記停止ライン上に前記当選絵柄を停止させる一方、該当する当選絵柄を揃えることが不可能なタイミングで停止操作がされると、何ゲームにもわたって前記当選絵柄を整列できていないことを条件に、前記透光性の部分を通して前記表示器が見えるように、前記透光性の部分を強制的に前記停止ライン上に停止させる停止制御方法を採用した
　
　当該補正後の請求項１は、発明を特定するために必要な事項（以下、「発明特定事項」という。）として、「内部抽選によって当選状態であった場合であって、該当する当選絵柄を停止させることが可能なタイミングで停止操作がされると、前記停止ライン上に前記当選絵柄を停止させる一方、該当する当選絵柄を揃えることが不可能なタイミングで停止操作がされると、前記透光性の部分を前記停止ライン上に停止させる停止制御」を含んでいることから、補正前（平成１６年４月１５日付け手続補正により補正された特許請求の範囲）の請求項２に基づいて補正したものと認める。　そして、本件補正は、
（１）本件補正前の請求項２に記載した発明特定事項である「回転リールの一部」について「回転リールの一部の特定のリール」と限定し、
（２）同「透光性の部分を配列」を「周方向の４〜５箇所に前記透光性の部分を適切に配列」と限定し、
（３）同「停止制御」の対象を「前記特定の回転リール」と限定し、
（４）同「透光性の部分を停止ライン上に停止させるように停止制御がされる」を「何ゲームにもわたって前記当選絵柄を整列できていないことを条件に、前記透光性の部分を通して前記表示器が見えるように、前記透光性の部分を強制的に前記停止ライン上に停止させる停止制御方法を採用した」と限定するものであって、平成１８年改正前特許法１７条の２第４項２号の特許請求の範囲の減縮を目的とするものに該当する。
　そこで、本願補正発明が特許出願の際独立して特許を受けることができるものであるか（平成１８年改正前特許法１７条の２第５項において準用する同法１２６条５項の規定に適合するか）について以下に検討する。
　
２．引用文献について
（１）引用文献１について
　原査定の拒絶の理由に引用された特開平３−６０６８１号公報（公開日：平成３年３月１５日）（以下、「引用文献１」という。）には、以下の事項が図面とともに記載されている。
　なお、平成１５年１２月２５日付け拒絶理由通知書には、引用文献１として特開平３−６０６６８１号公報が記載されており、これは上記の特開平３−６０６８１号公報の誤記であるが、出願人は意見書、審判請求書において正しい公報番号に読み替えて反論し、手続上の問題があるとは格別争っていない。
　
・記載事項１−１
　「本発明を用いたスロットマシンの外観を示す第３図において、前面パネル２には３個の表示窓３〜５が設けられ、表示窓３〜５の奥には第１〜第３リール６〜８が回転自在に配置されている。これらのリール６〜８の外周には一定ピッチで複数個のシンボルが配列され、各々シンボル列を構成している。そして、表示窓３〜５を通してリール６〜８のシンボルをそれぞれ３個ずつ観察することができるようになっている。」（２頁右下欄１〜９行）　　　
　
・記載事項１−２
　「第１図及び第２図に示したように、前記第１リール６は二重構造をしたリールユニット２０の外側リールとなっており、その内側には同軸で回転自在な内リール１７が設けられている。（中略）第１リール６の外周には、図示のように「７」，「プラム」，「オレンジ」，・・・等のシンボルが配列されるとともに、特殊シンボルとしてほぼシンボル１個分の大きさの開口窓２５が形成されている。また、内リール１７の外周にも「７」，「プラム」，「ＢＡＲ」その他のシンボルが配列されている。」（３頁左上欄８行〜右上欄５行）
　
・記載事項１−３
　「第３図に示したように、第１リール６の開口窓２５が表示窓３に現れているときには、開口窓２５を通して内リール１７のシンボル１個を観察することができる。なお、開口窓２５の個数を２個以上にしたり、開口窓２５の大きさを複数個分のシンボルサイズに対応した大きなものにしてもよい。また、第１リール本体を透明プラスチック製とし、その外周にシンボルをプリントした遮光性の帯シートを接合する場合には、この帯シートに透明部を設けてこれを開口窓２５に代用することができる。」（３頁右上欄１２〜左下欄２行）
　
・記載事項１−４
　「入賞設定回路５２は、サンプリングされた乱数値を確率テーブル５３と対照し、乱数値がどのレベルの入賞に該当するものであるかを判別する。例えば確率テーブル５３は、乱数発生器５０で発生される全範囲の乱数値「０〜９９９９」について、「０〜１９９」には大入賞を割り当て、「２００〜７９９」には中入賞を、また「８００〜１９９９」には小入賞を、さらに「２０００〜９９９９」にはハズレを割り当てたテーブルメモリとして構成されており、入賞設定回路５２はサンプリングされた乱数値がどのグループに属しているかに応じて大入賞信号，中入賞信号，小入賞信号，ハズレ信号のいずれかを入賞信号として出力する。」（４頁左上欄１５行〜右上欄７行）
　
・記載事項１−５
　「停止シンボル決定回路５４は入賞設定回路５２からの入賞信号を受け、シンボルＲＯＭ５５を参照して入賞信号の種類に対応したシンボルの組み合わせをリールごとのシンボルコードとして出力する。このためシンボルＲＯＭ５５には、シンボルに対応したシンボルコードを入賞の種類ごとに組み合わせたデータが格納され、入賞信号の種類を特定することによって、各々のリールがどのシンボルを入賞ライン上で停止表示させるかが決定される。」（４頁右上欄８〜１７行）
　
・記載事項１−６
　「１〜３枚のコインを投入口１０から投入し、スタートレバー１２を操作することによって通常ゲームが開始され、サンプリング回路５１によって１個の乱数値がサンプリングされる。そして、入賞設定回路５２はこの乱数値を確率テーブル５３に対照し、どの入賞グループに属しているかに応じて入賞の種類を設定する。例えばこのときサンプリングされた乱数値が「１５０」であると、大入賞信号が停止シンボル決定回路５４へと出力される。停止シンボル決定回路５４はシンボルＲＯＭ５５を参照し、大入賞が得られるシンボルの組み合わせを決定する。こうして決定されたシンボルの組み合わせが、第１リール６，第２リール７，第３リ−ル８，内リール１７について、それぞれ「開口窓」−「７」−「７」−「７」であると、これらのシンボルコードがコントローラ４５に入力される。
　また、コントローラ４５はスタートレバー１２の操作信号を受けて、切り換えスイッチ４２を実線位置に接続させる。これにより分周回路４１を経たパルス信号は、モータ制御回路３０，３４，３５に供給されるようになる。上述した停止シンボルの決定処理が終わると、コントローラ４５からモータ制御回路３０，３４，３５に起動信号が出力される。
　分周回路４１からのパルス信号が供給された状態でモータ制御回路３０，３４，３５に起動信号が入力されると、モータ制御回路３０，３４，３５はステッピングモータ１８，３２，３３に駆動パルスを供給してこれらを駆動し、第１〜第３リ−ル６〜８を一斉に回転させる。」（４頁右下欄１７行〜５頁右上欄７行）
　
・記載事項１−７
　「第１〜第３リ−ル６〜８の回転が定常状態にはなるとストップボタン１３〜１５の操作が許容され、これらの押圧操作によって各々のリールの停止制御が開始される。（中略）この停止制御時には、コントローラ４５は第１〜第３シンボルテーブル５８〜６０のデータを参照しながらカウンタ４６〜４８のカウント値を監視し、ステッピングモータ１８，３２，３３の停止時に、入賞ライン上で得られるシンボルの組み合わせが停止シンボル決定回路５４からのシンボルコードの組み合わせとなるようにモータ制御回路３０，３４，３５の作動を制御する。」（５頁右上欄１３行〜左下欄７行）
　
・記載事項１−８
　「この停止制御の結果ステッピングモータ１８，３２，３３が停止して第１〜第３リ−ル６〜８の回転が停止される。各ストップボタン１３〜１５の操作タイミングと各リール６〜８の停止タイミングとが極端にずれない範囲で停止制御が予定通り実行されると、入賞ライン上には停止シンボル決定回路５４で決められたシンボルの組み合わせ、すなわち「開口窓」−「７」−「７」が停止表示される。こうして第１〜第３リ−ル６〜８の回転が停止した時点で、カウンタ４６，４８，４９のカウント値が第１〜第３シンボルテーブル５８〜６１と対照され、入賞の有無が確認される。さらに、第１リール６が「開口窓」を停止表示しているときには、開口窓２５を通して観察される内リール１７についてもカウンタ４７のカウント値が参照され、シンボル判定が行われる。そして第３図に示したように、開口窓２５を通して内リール１７のシンボル「オレンジ」が表示されているときには、その時点で入賞は得られずハズレゲームとなる。」（５頁左下欄８行〜右下欄７行）
　
・記載事項１−９
　「なお、このように第１〜第３リール６〜８が停止したときに入賞確認が行われるのは、ストップボタン１３〜１５の操作タイミングによっては、停止シンボル決定回路５４で決められたシンボルの組み合わせが得られないことがあり得るためである。」（５頁右下欄８〜１３行）
　
・記載事項１−１０
　「第８図はリールを三重構造にした本発明の第３実施例を示し、この実施例だけでゲームマシンを構成することができる。第１リール８１，第２リール８２，第３リール８３は、共通の軸８４に回転自在に取り付けられ、各々タイミングベルト８５〜８７を介してステッピングモータ８８〜９０によって駆動される。第１，第２リール８１，８２には、それぞれ８個，４個の開口窓８１ａ，８２ａが形成され、また第３リールの外周には複数のシンボルが配列されている。したがって第１，第２リール８１，８２については、開口窓８１ａ，８２ａと開口のない部分とがそれぞれシンボルとして配列されることになる。」（７頁左下欄１〜１３行）
　
　以上の記載事項１−１〜１−１０及び第１〜８図によれば、引用文献１には次の発明が記載されていると認められる。なお、記載事項１−３には「帯シートに透明部を設けてこれを開口窓２５に代用することができる。」と記載されているから、「開口窓２５」に代えて「透明部」（以下「透明部２５」と記載する）を構成として採用する。
　
　「「７」，「プラム」，「オレンジ」，・・・等のシンボルが配列された第１〜第３リール６〜８と、
　第１リール６の内側に「７」，「プラム」，「ＢＡＲ」その他のシンボルが外周に配列された内リール１７とを備え、
　スタートレバー１２が操作された後に第１〜第３リ−ル６〜８を一斉に回転させ、ストップボタン１３〜１５の押圧操作によって第１〜第３リ−ル６〜８の回転が停止されて入賞ライン上にシンボルが停止表示されるスロットマシンにおいて、
　第１リール６の外周には特殊シンボルとしてほぼシンボル１個分の大きさの透明部２５が形成され、
　入賞設定回路５２はサンプリングされた乱数値がどのレベルの入賞に該当するものであるかを判別して大入賞信号，中入賞信号，小入賞信号，ハズレ信号のいずれかを入賞信号として出力し、停止シンボル決定回路５４は入賞設定回路５２からの入賞信号を受け、入賞信号の種類に対応したシンボルの組み合わせをリールごとのシンボルコードとして出力し、これにより各々のリールがどのシンボルを入賞ライン上で停止表示させるかが決定され、
　第１〜第３リール６〜８では、各ストップボタン１３〜１５の操作タイミングと第１〜３リール６〜８の停止タイミングとが極端にずれない範囲で停止制御が予定通り実行されると、入賞ライン上には停止シンボル決定回路５４で決められたシンボルが停止表示されるスロットマシン。」（以下、「引用発明１」という。）
　
（２）引用文献２について
　原査定の拒絶の理由に引用された特開２０００−１１６８４３号公報（公開日：平成１２年４月２５日）（以下、「引用文献２」という。）には、以下の事項が図面とともに記載されている。
　
・記載事項２−１
　「【請求項１】　円周方向に一定間隔おきに文字や数字や絵柄などの識別記号を付した複数の回転体を有し、視認可能な有効表示領域に回転体の回転角度に応じて識別記号を可変表示する第１表示手段と、
　少なくとも１つの回転体の少なくとも１つの特定表示部位における識別記号を第１表示手段とは異なる表示機構で可変表示する第２表示手段と、
　を備えたことを特徴とする遊戯機。」（【特許請求の範囲】）
　
・記載事項２−２
　「この第１実施例は、スロットマシンに本発明の遊戯機を適用した場合のものである。
　図１〜図３に示すように、スロットマシン１は、基本的には、３つの回転ドラム１０を有する第１表示手段２及び液晶表示手段からなる第２表示手段３を有する表示装置４と、コインの払い出しのための払出手段５と、遊戯を行うための各種スイッチ類と、表示装置４及び払出手段５を制御する制御手段６とを備えている。」（段落【０００９】）
　
・記載事項２−３
　「表示装置４について説明すると、図１、図２、図４に示すように、第１表示手段２の３つの回転ドラム１０の外周部には帯状にフィルム体１１が外装され、フィルム体１１には円周方向に一定間隔おきに文字や数字や絵柄などの識別記号が印刷等により形成され、これら３つの回転ドラム１０は図示外のステッピングモータによりぞれぞれに独立に回転駆動される。
　スロットマシン１の前面パネルの上部には３つの回転ドラム１０に対応させて３つの表示窓１２が設けられ、各回転ドラム１０は、その前部の３つの識別記号が表示窓１２から視認できるように配置されている。各回転ドラム１０の内側には照明手段１３が設けられ、この照明手段１３のフレーム１４は機枠に固定され、フレーム１４の前部には回転ドラム１０前部の３つの識別記号に対応させて３つの凹部１４ａが設けられ、各凹部１４ａには識別記号を背後から照らすランプ１５が組み込まれている。このランプ１５は後述する液晶表示パネル１６のバックライトとしても機能する。」（段落【００１０】）
　
・記載事項２−４
　「第２表示手段３は、周知の構成の液晶表示パネル１６を備えており、この液晶表示パネル１６は右端に配置される回転ドラム１０の照明手段１３のフレーム１４の前面に、フレーム１４に形成した３つの凹部１４ａに対応させてそれぞれ設けられている。また、右端の回転ドラム１０のフィルム体１１の特定表示部位には透視窓１７が設けられ、この透視窓１７を通して液晶表示パネル１６を視認できるように構成されている。但し、透視窓１７は透明フィルムで構成してもよいし、単にフィルム体１１に開口を形成するだけてもよい。また、この透視窓１７は複数設けてもよい。
　液晶表示パネル１６は、制御手段６により制御され、回転ドラム１０にプリントした識別記号と同様の識別記号を表示可能に構成されている。但し、回転ドラム１０とは異種の識別記号を表示させることも可能である。」（段落【００１１】）
　
・記載事項２−５
　「そして、３つの回転ドラム１０が停止した状態で、３つの回転ドラム１０のうちの表示窓１２に対面する識別記号が、設定した入賞判定ラインＬ上に３つ揃っている場合には、識別記号に応じた回数だけ遊戯回数を増やし、記憶している遊戯回数が一定回数を越えると、越えた枚数だけコインを払出手段５からトレー２７に払出す。また、特定の識別記号、例えば「７」「７」「７」が揃っている場合には、一定回数だけ識別記号が揃い易い状態、所謂大当たりや小当たりの遊戯状態を設定する。」（段落【００１５】）
　
３．対比
　本願補正発明と引用発明を対比すると、引用発明１の「シンボル」は本願補正発明の「絵柄」に相当し、以下同様に、「透明部２５」は「透光性の部分」に、「リール６〜８」は「回転リール」に、「入賞ライン」は「停止ライン」に相当する。
　そして、引用発明１について、以下の（１）〜（５）のことが言える。
（１）「「７」，「プラム」，「オレンジ」，・・・等のシンボルが配列された第１〜第３リール６〜８」について
　スロットマシンにおいて、絵柄をリールに「配列」させるため印刷等により「描く」ことは慣用手段である。したがって、「「７」，「プラム」，「オレンジ」，・・・等のシンボルが配列された第１〜第３リール６〜８」は「複数種類の絵柄が描かれた複数の回転リール」と言い換えることができる。
（２）「第１リール６の内側に「７」，「プラム」，「ＢＡＲ」その他のシンボルが外周に配列された内リール１７とを備え、」について
　上記内リール１７は、「７」，「プラム」，「ＢＡＲ」その他のシンボルを入賞ラインに停止した透明部２５を通して表示するものであるから、「表示手段」と言うことができ、引用発明１の「内リール１７」と本願補正発明の「停止ラインに対応する位置に設けられ、回転リールと異なる表示器」とは「表示手段」という点で一致するものである。
（３）「スタートレバー１２が操作された後に第１〜第３リ−ル６〜８を一斉に回転させ、ストップボタン１３〜１５の押圧操作によって第１〜第３リ−ル６〜８の回転が停止されて入賞ライン上にシンボルが停止表示される」について
　スタートレバー１２の操作は遊戯者によって行われること、スタートレバー１２が操作されることによりゲームが開始されること、ストップボタン１３〜１５の操作は遊技者によって行われることは、自明である。そうすると、引用発明１は「遊戯者の開始操作に応答して回転リールを回転させ、遊戯者の停止操作に応答して回転リールの絵柄を停止ラインに停止させる」との構成を実質的に具備するものである。
（４）「第１リール６の外周には特殊シンボルとしてほぼシンボル１個分の大きさの透明部２５が形成され」について
　第１リールは３個あるリールの一つであるから、「回転リールの一部の特定の回転リール」と言うことができ、引用発明１は「回転リールの一部の特定の回転リールには、透光性の部分を配列する」との構成を実質的に具備するものである。
（５）「入賞設定回路５２はサンプリングされた乱数値がどのレベルの入賞に該当するものであるかを判別して大入賞信号，中入賞信号，小入賞信号，ハズレ信号のいずれかを入賞信号として出力し、停止シンボル決定回路５４は入賞設定回路５２からの入賞信号を受け、入賞信号の種類に対応したシンボルの組み合わせをリールごとのシンボルコードとして出力し、これにより各々のリールがどのシンボルを入賞ライン上で停止表示させるかが決定され、
　第１〜第３リール６〜８では、各ストップボタン１３〜１５の操作タイミングと第１〜３リール６〜８の停止タイミングとが極端にずれない範囲で停止制御が予定通り実行されると、入賞ライン上には停止シンボル決定回路５４で決められたシンボルが停止表示される」について
　入賞設定回路５２が行っている「サンプリングされた乱数値がどのレベルの入賞に該当するものであるかを判別」するということが「内部抽選」に相当することは明らかである。また、「各ストップボタン１３〜１５の操作タイミングと第１〜３リール６〜８の停止タイミングとが極端にずれない範囲で停止制御が予定通り実行されると、入賞ライン上には停止シンボル決定回路５４で決められたシンボルが停止表示される」が、決められたシンボルが停止表示されるための第１〜３リール６〜８の停止タイミングと各ストップボタン１３〜１５の操作タイミングが極端にずれない場合、すなわち決められた絵柄を停止させることが可能なタイミングで停止操作がされた場合に、決められたシンボルが停止表示されることを意味していることは明らかである。
　そして、抽選結果のうち「大入賞」等の当選状態及び「特定の回転リール」である第１リール６について着目して整理すると、引用発明１は、「特定の回転リールでは、内部抽選によって当選状態であった場合、該当する当選絵柄を停止させることが可能なタイミングで停止操作がされると、停止ライン上に当選絵柄を停止させる」との構成を実質的に具備するものである。
　なお、付言すると、「内部抽選によって当選状態であった場合、該当する当選絵柄を停止させることが可能なタイミングで停止操作がされると、停止ライン上に当選絵柄を停止させる」ことは、スロットマシンにおいては常套手段である。
　
　そうすると、両者は、
「複数種類の絵柄が描かれた複数の回転リールと、
　回転リールの内側に設けられた表示手段と、
　遊戯者の開始操作に応答して各回転リールを回転させ、遊戯者の停止操作に応答して各回転リールの絵柄を停止ラインに停止させるスロットマシンにおいて、
　回転リールの一部の特定の回転リールには、透光性の部分を配列し、
　特定の回転リールでは、内部抽選によって当選状態であった場合、該当する当選絵柄を停止させることが可能なタイミングで停止操作がされると、停止ライン上に当選絵柄を停止させるスロットマシン。」である点で一致し、以下の点で相違する。
＜相違点１＞
　回転リールの内側に設けられた表示手段が、本願補正発明では、停止ラインに対応する位置に設けられ、回転リールと異なる表示器であるのに対し、引用発明１ではそのような構成を有していない点。
＜相違点２＞
  回転リールの一部の特定の回転リールに配列した透光性の部分が、本願補正発明では、遊戯者がどのタイミングで停止操作しても透光性の部分が前記停止ラインに停止できるように周方向の４〜５箇所に適切に配列するのに対し、引用発明１ではそのような構成を有していない点。
＜相違点３＞　本願補正発明では、特定の回転リールでは、内部抽選によって当選状態であった場合であって、該当する当選絵柄を揃えることが不可能なタイミングで停止操作がされると、何ゲームにもわたって前記当選絵柄を整列できていないことを条件に、透光性の部分を通して表示器が見えるように、透光性の部分を強制的に停止ライン上に停止させる停止制御方法を採用したのに対して、引用発明１ではそのような構成を有していない点。
　　
４．判断
　上記各相違点について検討する。
＜相違点１＞について
　上記引用文献２の図４には入賞判定ラインＬに対応する位置にフレーム１４が設けられることが図示されており、上記記載事項２−４によれば識別記号を表示可能な液晶表示パネル１６が回転ドラム１０の照明手段１３のフレーム１４の前面に設けられることが記載されている。すなわち、回転ドラム１０の内側であって入賞判定ラインＬに対応する位置に液晶表示パネル１６を設けることが記載されており、液晶表示パネル１６は「回転リールと異なる表示器」と言うことができる。
　そうすると、引用発明１において、内リール１７に代えて上記引用文献２に記載された発明（以下、「引用発明２」という。）の「停止ラインに対応する位置に設けられた、回転リールと異なる表示器」を採用し、上記相違点１に係る本願補正発明の構成とすることは、当業者であれば容易に想到し得たことである。
＜相違点２，３＞について
　次に、相違点２，３については関連しているので、あわせて検討する。
  スロットマシンにおいて、特定の絵柄を１つのリール上に複数配列して、内部抽選によって特定の絵柄に対応する賞が当選状態であった場合、いわゆる引き込み制御により遊戯者がどのようなタイミングで停止操作しても当該絵柄を必ず停止ラインに停止させることは、周知技術である（下記の「周知技術」を参照。）。
　そして、上記「特定の絵柄」をいくつ配列するかは、回転リール上の絵柄の総数，配列状況、引き込み制御によって引き込むことが可能な絵柄数によって適宜決定されることであり、４〜５箇所にすることは設計事項に過ぎない。
　更に、内部抽選によって当選であった場合であって、何ゲームにもわたって当選絵柄を整列させることができない遊戯者（目押しできない初心者等）に何らかの配慮をすることは周知の課題（下記の「周知の課題」を参照）であって、当選絵柄を強制的に停止ラインに停止させることは当該課題の直接的解決になることは明らかである。
　また、引用文献１には、「なお、開口窓２５の個数を２個以上にしたり」（上記記載事項１−３）と記載されており、引用発明１の透明部２５を２個以上にすることができる旨記載されている。また、別の実施例であるが、開口窓８１ａ，８２ａを８個、４個とすることが記載されている（上記記載事項１−１０）。したがって、引用発明１の透明部２５は１個に限られたものではなく、この個数をいくつにするかは設計事項に過ぎない。
　そして、引用発明１の透明部２５は「特殊シンボル」であって（上記記載事項１−２及び引用発明１の認定を参照）、シンボルすなわち絵柄の１種と捉えることができ、絵柄の停止に関する技術を引用発明１の透明部２５の停止に適用することを阻害する要因はない。
　以上を総合すると、引用発明１において、透明部２５の停止に関し上記周知技術を適用する、すなわち遊戯者がどのような停止タイミングで停止操作しても透光性の部分が停止ラインで停止できるように、周方向の４〜５箇所に透光性の部分を適切に配列し、透光性の部分を通して表示器が見えるように、透光性の部分を強制的に停止ライン上に停止させる停止制御を可能とすると共に、この適用に際して当該停止制御を何ゲームにもわたって当選絵柄を整列できていないことを条件とすることにより、相違点２，３に係る本願補正発明の構成とすることは当業者であれば容易に想到し得たことである。
　
　そして、本願補正発明の効果は、引用発明１，２、上記周知技術から当業者が予測できる範囲のものである。
　
　したがって、本願補正発明は、引用発明１，２、上記周知技術に基づいて、当業者が容易に発明をすることができたものであるから、特許法２９条２項の規定により特許出願の際独立して特許を受けることができないものである。
＜周知技術＞　
（１）特開平１１−３０９２４１号公報には、「図柄の並びにおいて、特に遊技者の技量によらず当たりの確率を高めたい図柄（当たり役）がある場合には、上記の考え方を適用し、図柄駆動装置が引き込み可能な範囲に最低一個、その図柄が存在するように、リール上の図柄配置を設定すればよい。」（段落【００４４】）、「図柄駆動装置において引き込み動作が可能な範囲に特定図柄が存在するように図柄配置を定めることにより、「目押し」などが行えない初心者であっても必ず当たりを出すことができ、初心者の射幸心を刺激することができる。」（段落【００４５】）との記載がある。
（２）特開２０００−１４０２０５号公報には、「４図柄先以内にＪＡＣ図柄がある場合にＪＡＣ図柄を有効ライン上に停止制御させるのである。なお、図３に示すように、現在の図柄番号がＪＡＣ図柄でない場合において、その現在の図柄番号から４図柄先の範囲内に必ずＪＡＣ図柄が存在するように図柄配列が構成されている。このように現在停止せんとするリールが最後のリールでない場合にはＪＡＣ入賞フラグがセットされているか否かにかかわらず有効となっている有効ライン上にＪＡＣ図柄を停止させるように制御される」（段落【００７３】）、「ＪＡＣ入賞フラグがセットされている場合にはＳ１１８に進み、他のリールが停止しているか否かの判断がなされる。そして他のリールが停止していない段階では前記Ｓ１２０に進み、前述と同様にＪＡＣ図柄を有効となっている有効ライン上に停止させる制御が行なわれる。一方、他のリールが既に停止している場合にはＳ１１９に進み、現在の図柄番号から４図柄先以内にあるＪＡＣ図柄を停止しているリールのＪＡＣ図柄の有効ライン上に停止させ、有効となっている有効ライン上にＪＡＣ図柄の組合せが成立するように停止制御し、その後Ｓ１５２に進む。」（段落【００７５】）との記載があり、図３には「ＪＡＣ」が各リールに５箇所配列されることが図示されている。
（３）特開２０００−４２１７１号公報には、「前記内部当り条件が達成された場合に、例えば、遊技者が操作する停止ボタンによる停止信号を受けた時点から前記内部当り条件によって特定される賞に対応するシンボルが特定位置に表示されるまでのずれが所定範囲内であることを条件にそのシンボルを入賞に必要な位置に停止させること（所謂引き込み）による高入賞率化を実現するものとすることができる。回転体において該当するシンボルの出現率が高ければ、より高率で入賞可能となり、該当するシンボルが、所謂引き込みにおけるずれの許容範囲内毎に万遍なく配されていれば、確実に又はほぼ確実に入賞し得ることとなる。」（段落【００３０】）、「未特定入賞が内部当り対象賞である場合、内部当りとなったときに未特定入賞が必ず達成されるものとすることが望ましい。そのためには、例えば上記スロットマシンにおいて、遊技者が任意のタイミングでシンボルを固定表示させても必ず該当するシンボルを所要位置に引き込める程度にそのシンボルを万遍なく配する。」（段落【００３８】）との記載がある。
＜周知の課題＞　
（４）特開２０００−１４０２０９号公報には、「【発明が解決しようとする課題】しかし、目押しができない遊技者は、なかなかビッグチャンス図柄を揃えることができず、その間に多くのメダルを消費してしまう。その結果、最終的に獲得できるメダルの枚数に差が生じ、目押しができる遊技者と目押しができない遊技者との間で不公平が生じていた。」（段落【０００３】）との記載がある。
（５）特開平１１−３１９１８８号公報には、「【発明が解決しようとする課題】しかし、上記した従来のスロットマシンでは、入賞リクエスト信号の発生を報知しても、遊技に不慣れな遊技者は、例えばビッグボーナスゲームへの移行図柄、「７」等を揃えることが困難であったという問題点があった。」（段落【０００３】）との記載がある。　
　
５．むすび
　以上のとおり、本件補正は、平成１８年改正前特許法１７条の２第５項で準用する同法１２６条第５項の規定に違反するものであり、同法１５９条第１項で準用する同法５３条第１項の規定により却下されるべきものである。　
第３　本願発明について
１．本願発明の認定
　平成１６年８月２７日付けの手続補正は上記のとおり却下されたので、本願の請求項１に係る発明（以下、「本願発明」という。）は、平成１６年４月１５日付けの手続補正書の特許請求の範囲の請求項１に記載された事項により特定される、以下のとおりのものである。
　「複数種類の絵柄が描かれた複数の回転リールと、
前記回転リールの内側であって停止ラインに対応する位置に設けられ、前記回転リールと異なる表示器とを備え、
遊戯者の開始操作に応答して前記各回転リールのみを回転し、
遊戯者の停止操作に応答して前記各回転リールの絵柄を前記停止ラインに停止させるスロットマシンにおいて、
前記回転リールの一部には、前記遊戯者がどのタイミングで停止操作しても透光性の部分が前記停止ラインに停止できるように、該透光性の部分を配列してなる、
ことを特徴とするスロットマシン。」　
　
２．本願発明の進歩性の判断
　
　（１）引用文献
　拒絶の理由に引用された引用文献１，２及びその記載事項は、前記「第２」の「２．」に記載したとおりである。　
　
　（２）対比・判断
　本願発明は、本願補正発明から前記「第２」の「１．」で検討した限定（１）、（２）及び「前記特定の回転リールでは、内部抽選によって当選状態であった場合であって、該当する当選絵柄を停止させることが可能なタイミングで停止操作がされると、前記停止ライン上に前記当選絵柄を停止させる一方、該当する当選絵柄を揃えることが不可能なタイミングで停止操作がされると、何ゲームにもわたって前記当選絵柄を整列できていないことを条件に、前記透光性の部分を通して前記表示器が見えるように、前記透光性の部分を強制的に前記停止ライン上に停止させる停止制御方法を採用した」なる構成を省いたものである。
　そうすると、本願発明の構成をすべて含み、さらに他の構成要件を付加したものに相当する本願補正発明が、前記「第２」の「４．」に記載したとおり、引用発明１，２、上記周知技術に基づいて当業者が容易に発明をすることができたものであるから、本願発明も同様の理由により、引用文献１，２、上記周知技術に基づいて当業者が容易に発明をすることができたものである。　
　
第４　むすび
　以上のとおり、本願発明は、引用文献１，２に記載された発明及び上記周知技術に基づいて、当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。